(57)【要約】【課題】画像形成装置の感光ドラムを露光する発光装置の光出射面を確実に清掃する。【解決手段】画像形成装置１００は、感光ドラム１０３と規制部５０２，５０３、５０４を含み画像形成装置の本体１２０に着脱可能なドラムカートリッジ５００と、光を出射する光出射面３０１ａが設けられた発光装置１０５と、光出射面が規制部より感光ドラムの表面の側に位置する露光位置と、光出射面が規制部に関して感光ドラムの表面とは反対側に位置する退避位置とに発光装置を往復移動させる移動手段２００と、を備え、規制部は、退避位置に位置する発光装置の光出射面の長手方向にスライド移動して光出射面を清掃する清掃部６０２が設けられた清掃部材を感光ドラムの表面に接触させず、かつ清掃部が光出射面から離脱しないように、清掃部を光出射面に付勢させる。【選択図】図４
2018060091.tif 000002
【特許請求の範囲】
【請求項１】
記録媒体に画像を形成する画像形成装置であって、
回転可能な感光ドラムおよび規制部を含み、前記画像形成装置の本体に着脱可能に装着されたカートリッジと、
前記感光ドラムの回転方向に交差する方向に並んで設けられ前記感光ドラムの表面に静電潜像を形成するために画像情報に従って発光する複数個の発光点と、前記複数個の発光点から出射された光を前記感光ドラムの前記表面に結像するレンズであって前記複数個の発光点からの光を出射し、前記感光ドラムの前記表面に対向する光出射面を有するレンズと、を備える発光装置と、
前記静電潜像を形成するための位置である前記光出射面が前記規制部よりも前記感光ドラムの前記表面の側に位置する露光位置と、前記露光位置から退避した位置である前記光出射面が前記規制部に関して前記感光ドラムの前記表面とは反対側に位置する退避位置と、に前記発光装置を往復移動させる移動手段と、
を備え、
前記規制部は、前記退避位置に位置した前記発光装置の前記光出射面の上を前記発光装置の長手方向にスライド移動することによって前記光出射面の上を摺動して清掃する清掃部が設けられた清掃部材を前記感光ドラムの前記表面に接触させず、かつ前記清掃部材のスライド移動中に前記清掃部が前記発光装置の前記長手方向において前記光出射面から離脱しないように前記清掃部を前記光出射面に付勢させることを特徴とする画像形成装置。
【請求項２】
前記発光装置が前記退避位置にあるときに前記感光ドラムと前記発光装置との間に形成される空間に前記清掃部材を案内する案内手段を更に備えることを特徴とする請求項１に記載の画像形成装置。
【請求項３】
前記案内手段は、前記本体の枠体に設けられた開口部であることを特徴とする請求項２に記載の画像形成装置。
【請求項４】
前記規制部の両端部には、位置決め部が設けられており、
前記発光装置の前記長手方向における両端部が前記位置決め部に当接することにより、前記発光装置が前記露光位置に位置決めされることを特徴とする請求項１乃至３のいずれか一項に記載の画像形成装置。
【請求項５】
前記カートリッジは、前記感光ドラムと、前記感光ドラムの前記表面を均一に帯電する帯電器とを一体的に有するドラムカートリッジであることを特徴とする請求項１乃至４のいずれか一項に記載の画像形成装置。
【請求項６】
前記カートリッジは、前記感光ドラムと、前記感光ドラムの前記表面を均一に帯電する帯電器と、前記発光装置により前記感光ドラムの前記表面に形成される前記静電潜像を現像剤で現像する現像体とを一体的に有するプロセスカートリッジであることを特徴とする請求項１乃至４のいずれか一項に記載の画像形成装置。
【請求項７】
前記発光装置により前記感光ドラムの前記表面に形成される前記静電潜像を現像剤で現像する現像体および規制部を含み、前記画像形成装置の本体に着脱可能に装着された現像カートリッジを更に備え、
前記現像カートリッジの前記規制部は、前記退避位置に位置した前記発光装置の前記光出射面の上を前記発光装置の前記長手方向にスライド移動することによって前記光出射面の上を摺動して清掃する前記清掃部が設けられた前記清掃部材を前記感光ドラムの前記表面に接触させず、かつ前記清掃部材のスライド移動中に前記清掃部が前記発光装置の前記長手方向において前記光出射面から離脱しないように前記カートリッジの前記規制部とともに前記清掃部を前記光出射面に付勢させることを特徴とする請求項１乃至４のいずれか一項に記載の画像形成装置。
【請求項８】
前記発光装置は、前記レンズを挟んで前記長手方向に延在する二つの面を有し、
前記二つの面の一方は、前記清掃部材に設けられた二つの突出部の一方に当接可能であり、
前記二つの面の他方は、前記二つの突出部の他方に当接可能であることを特徴とする請求項１乃至７のいずれか一項に記載の画像形成装置。
【請求項９】
前記露光位置と前記退避位置とへの前記発光装置の移動を案内する案内部を更に備えることを特徴とする請求項１乃至８のいずれか一項に記載の画像形成装置。
【請求項１０】
前記移動手段は、使用者により把持されて操作される把持部を有し、
前記移動手段は、前記使用者の操作による前記把持部の動作に連動して前記発光装置を前記露光位置と前記退避位置へ移動させることを特徴とする請求項１乃至９のいずれか一項に記載の画像形成装置。
【発明の詳細な説明】
【技術分野】
【０００１】
本発明は、感光ドラムを露光する発光装置を有する画像形成装置に関する。
【背景技術】
【０００２】
レーザビームプリンターやデジタル複写機などの電子写真方式の画像形成装置においては、感光ドラムを露光する手段の一つとしてＬＥＤ露光ヘッド（以下、ＬＥＤヘッドという）がある。ＬＥＤヘッドは、所定数量のＬＥＤを略直線状に並べて画像幅を一括して露光するものである。これは回転多面鏡を用いるレーザスキャナユニット（ＬＳＵ）に比べて体積が小さく駆動部もないことから、装置の小型化や低騒音化に有利である。
【０００３】
一方、ＬＥＤヘッドは、後に述べる露光光学系の特性により、ＬＳＵに比べて感光ドラムに非常に近接して配置される必要がある。感光ドラムの近傍には、電子写真画像形成の現象プロセスにおいて用いられるトナーの一部が、飛散して舞っている場合がある。この飛散トナーがＬＥＤヘッドのレンズの光出射面に付着すると、露光光量が部分的に減少して濃度むらなどの不良画像を発生させる懸念がある。このため、ＬＥＤヘッドのレンズの光出射面を定期的に清掃するための清掃部材が必要となる。このような清掃部材の一例として、特許文献１は、感光ドラムを保持するハウジングに形成された挿入口から挿入される清掃部材を開示している。
【先行技術文献】
【特許文献】
【０００４】
【特許文献１】特開２０１０−２３０９５４号公報
【発明の概要】
【発明が解決しようとする課題】
【０００５】
特許文献１に記載の清掃部材は、ＬＥＤヘッドの光出射面に接触して移動することにより付着物をふき取るブレードと、ブレードの反対側に設けられて感光ドラムと接触する保護部材とを備える。保護部材は、清掃部材が感光ドラムに接触して感光ドラムに傷を付けることがないように感光ドラムを保護する。しかし、保護部材が感光ドラムに接触して摺動すると、感光ドラム上に付着している異物を感光ドラムに擦り付けることがあるので、感光ドラムに傷を付けるおそれがある。また、ハウジングに形成された挿入口から清掃部材を挿入する際に、清掃部材の先端部がＬＥＤヘッドの光出射面に接触して光出射面に傷を付けるおそれもある。
【０００６】
そこで、本発明は、清掃部材を感光ドラム表面に接触させることなく、清掃部材の清掃部を発光装置のレンズの光出射面を確実に清掃することができる画像形成装置を提供する。
【課題を解決するための手段】
【０００７】
本発明の一実施例による記録媒体に画像を形成する画像形成装置は、
回転可能な感光ドラムおよび規制部を含み、前記画像形成装置の本体に着脱可能に装着されたカートリッジと、
前記感光ドラムの回転方向に交差する方向に並んで設けられ前記感光ドラムの表面に静電潜像を形成するために画像情報に従って発光する複数個の発光点と、前記複数個の発光点から出射された光を前記感光ドラムの前記表面に結像するレンズであって前記複数個の発光点からの光を出射し、前記感光ドラムの前記表面に対向する光出射面を有するレンズと、を備える発光装置と、
前記静電潜像を形成するための位置である前記光出射面が前記規制部よりも前記感光ドラムの前記表面の側に位置する露光位置と、前記露光位置から退避した位置である前記光出射面が前記規制部に関して前記感光ドラムの前記表面とは反対側に位置する退避位置と、に前記発光装置を往復移動させる移動手段と、
を備え、
前記規制部は、前記退避位置に位置した前記発光装置の前記光出射面の上を前記発光装置の長手方向にスライド移動することによって前記光出射面の上を摺動して清掃する清掃部が設けられた清掃部材を前記感光ドラムの前記表面に接触させず、かつ前記清掃部材のスライド移動中に前記清掃部が前記発光装置の前記長手方向において前記光出射面から離脱しないように前記清掃部を前記光出射面に付勢させることを特徴とする。
【発明の効果】
【０００８】
本発明によれば、清掃部材を感光ドラムに接触させることなく、清掃部材に設けられた清掃部を発光装置のレンズの光出射面に接触させることができる。
【図面の簡単な説明】
【０００９】
【図１】画像形成装置の断面図。
【図２】ＬＥＤヘッドの斜視図。
【図３】ＬＥＤヘッドの断面図。
【図４】画像形成部の断面図。
【図５】現像器の斜視図。
【図６】ドラムカートリッジの斜視図。
【図７】接近離間機構の斜視図。
【図８】本体枠体の斜視図。
【図９】ドラムカートリッジの斜視図。
【図１０】清掃部材を示す図。
【図１１】本体枠体の開口部から見たＬＥＤヘッドを示す図。
【図１２】実施例２の本体枠体の斜視図。
【図１３】実施例２の画像形成部の断面図。
【発明を実施するための形態】
【００１０】
以下、添付図面を参照して、本発明を実施するための形態を説明する。
【実施例１】
【００１１】
（画像形成装置）
図１を参照して、本実施例による電子写真方式の画像形成装置の一例を説明する。図１は、画像形成装置１００の断面図である。図１は、イエロー、マゼンタ、シアンおよびブラックのトナー像を形成するために用いられる感光体（像担持体）としての感光ドラム１０３（１０３Ｙ、１０３Ｍ、１０３Ｃ、１０３Ｋ）を備えるタンデム方式の画像形成装置１００の一例を示している。各色のトナー像は、中間転写体としての中間転写ベルト１０７上に重ね合わせられる。中間転写ベルト１０７上に重ね合わされたトナー像は、記録媒体としてのシート（以下、用紙という。）上に一括して転写される。
【００１２】
画像形成装置１００は、イエロー（Ｙ）、マゼンタ（Ｍ）、シアン（Ｃ）及びブラック（Ｋ）のトナー像をそれぞれ形成する画像形成部１０２Ｙ、１０２Ｍ、１０２Ｃ及び１０２Ｋを備える。画像形成部１０２Ｙ、１０２Ｍ、１０２Ｃ及び１０２Ｋは、それぞれ回転可能な感光ドラム１０３Ｙ、１０３Ｍ、１０３Ｃ及び１０３Ｋを備える。ここで、参照符号の添え字Ｙ、Ｍ、Ｃ及びＫは、それぞれイエロー、マゼンタ、シアン及びブラックを表す。以下の説明において、特に必要でない場合、参照符号の添え字Ｙ、Ｍ、Ｃ及びＫを省略することがある。感光ドラム１０３の周囲には、感光ドラム１０３の表面を帯電する帯電器１０４、画像情報に従って感光ドラム１０３を露光するＬＥＤヘッド１０５、感光ドラム１０３上の静電潜像をトナーにより現像する現像器１０６が配置されている。感光ドラム１０３は、中間転写ベルト１０７に接触する。一次転写ローラ１０８Ｙ、１０８Ｍ、１０８Ｃ及び１０８Ｋは、中間転写ベルト１０７と感光ドラム１０３Ｙ、１０３Ｍ、１０３Ｃ及び１０３Ｋとの間に一次転写部Ｔｙ、Ｔｍ、Ｔｃ及びＴｋをそれぞれ形成する。クリーニング部材１１２Ｙ、１１２Ｍ、１１２Ｃ及び１１２Ｋは、一次転写後に感光ドラム１０３の表面上に残留したトナーを除去する。なお、画像形成部１０２Ｙ、１０２Ｍ、１０２Ｃ及び１０２Ｋは、トナーの色が異なる点を除き略同一の構造を有する。
【００１３】
（画像形成プロセス）
以下、画像形成プロセスを説明する。帯電器１０４Ｙ、１０４Ｍ、１０４Ｃ及び１０４Ｋは、感光ドラム１０３Ｙ、１０３Ｍ、１０３Ｃ及び１０３Ｋの表面を均一に帯電する。ＬＥＤヘッド１０５Ｙ、１０５Ｍ、１０５Ｃ及び１０５Ｋは、均一に帯電された感光ドラム１０３Ｙ、１０３Ｍ、１０３Ｃ及び１０３Ｋの表面に、画像情報に従って光を照射し静電潜像を形成する。静電潜像は、現像器１０６Ｙ、１０６Ｍ、１０６Ｃ及び１０６Ｋによりそれぞれの色のトナーで現像されトナー像にされる。各色のトナー像は、一次転写部Ｔｙ、Ｔｍ、Ｔｃ及びＴｋにおいて中間転写ベルト１０７上に順次に一次転写され、重ね合わされる。中間転写ベルト１０７上に重ね合された各色のトナー像は、給紙部１０１から搬送されてきた記録紙（記録媒体）Ｐに、二次転写部Ｔ２において二次転写ローラ１０９により一括して二次転写される。トナー像が転写された記録紙Ｐは、定着器１１０へ搬送される。定着器１１０は、記録紙Ｐを加熱および加圧してトナー像を記録紙Ｐに定着し、記録紙Ｐにカラー画像を形成する。カラー画像が形成された記録紙Ｐは、排出ローラ２８により排出トレイ１１１上へ排出される。
【００１４】
（ＬＥＤヘッド）
図２及び図３を用いて、露光ユニットとしてのＬＥＤヘッド１０５を以下に説明する。図２は、ＬＥＤヘッド１０５の斜視図である。図３は、ＬＥＤヘッドの断面図である。ＬＥＤヘッド１０５は、固体型光源である。ＬＥＤヘッド１０５は、一方向に延びた長尺形状を有する。ＬＥＤヘッド１０５は、画像形成装置１００の本体１２０内で感光ドラム１０３の回転軸線に略平行な方向に沿って配置されている。感光ドラム１０３の回転軸線に略平行な方向をＬＥＤヘッド１０５の長手方向とする。発光装置（固体露光装置）としてのＬＥＤヘッド１０５は、感光ドラム１０３の表面を露光するためにコントローラ１３０又は外部装置（不図示）からの画像情報に従って発光する複数個並んで設けられた発光素子（以下、発光点という）３０４を有する。複数個の発光点３０４は、感光ドラム１０３の回転方向に交差（略直交）する方向に一列に並んで設けられている。しかし、複数個の発光点３０４は、感光ドラム１０３の回転方向に交差する方向に複数列に並んで設けられていてもよい。また、複数個の発光点３０４が設けられた複数個の発光チップを方向に二列に千鳥状に配列してもよい。発光点３０４としては、液晶素子、半導体発光ダイオード、有機ＥＬ素子、電界発光素子を使用することができる。本実施例のＬＥＤヘッド１０５は、発光点３０４の一例として発光ダイオードアレイが実装されているＬＥＤ実装基板３０３を備えている。また、ＬＥＤヘッド１０５は、発光点３０４から出射された光を感光ドラム１０３の表面上に結像するためのレンズ集合体３０１を備えている。結像部材としてのレンズ集合体（レンズ）３０１は、光が透過する複数の円柱状のロッドレンズが集積されている。レンズ集合体３０１は、光を出射する光出射面３０１ａを有する。レンズ集合体３０１のレンズの光軸方向において光出射面３０１ａに対する光入射面は、発光点３０４に対向する。発光点３０４から出射された光は、光入射面からレンズ集合体３０１に入射し、光出射面３０１ａから出射する。光出射面３０１ａは、感光ドラム１０３の表面に対向する。レンズ集合体３０１としては、例えばセルフォック（登録商標）レンズが上げられる。ＬＥＤ実装基板３０３とレンズ集合体３０１は、筐体３００により、高精度に位置決めされる。
【００１５】
（カートリッジ）
画像形成部１０２Ｙ、１０２Ｍ、１０２Ｃ及び１０２Ｋは、画像形成装置１００の本体１２０に着脱可能に装着されたカートリッジとして構成されている。本実施例のカートリッジは、現像カートリッジ４００とドラムカートリッジ５００とからなる、いわゆる分離型のプロセスカートリッジである。しかし、カートリッジは、感光ドラム１０３と現像ローラ４０１とを一体的に有する、いわゆる一体型のプロセスカートリッジであってもよい。本実施例において、ドラムカートリッジ５００は、感光ドラム１０３と帯電器１０４とを一体的に有している。しかし、ドラムカートリッジ５００は、少なくとも感光ドラム１０３を有していればよい。ドラムカートリッジ５００は、感光ドラム１０３と、帯電器１０４と、感光ドラム１０３の表面上に残留したトナーを除去するクリーニング部材１１２とを一体的に有していてもよい。本実施例において、現像カートリッジ４００は、現像ローラ４０１と現像ローラ４０１へ供給される現像剤を収納する現像剤収納部４０８とを一体的に有している。しかし、現像カートリッジ４００は、少なくとも現像ローラ４０１を有していればよい。
【００１６】
（現像器）
図４及び図５を用いて、現像器１０６を以下に説明する。図４は、画像形成部１０２の断面図である。図４（ａ）は、ＬＥＤヘッド１０５が露光位置にある時の画像形成部１０２の断面図である。ＬＥＤヘッド１０５は、画像形成時には、図４（ａ）に示す露光位置にある。露光位置は、静電潜像を形成するための位置である。図４（ｂ）は、ＬＥＤヘッド１０５が感光ドラム１０３から離間した退避位置にある時の画像形成部１０２の断面図である。退避位置は、露光位置から退避した位置である。ＬＥＤヘッド１０５は、清掃時には、図４（ｂ）に示す退避位置にある。図５は、現像器１０６の斜視図である。現像器１０６は、現像カートリッジ４００からなる。現像カートリッジ４００は、画像形成装置１００の本体１２０に着脱可能である。現像カートリッジ４００は、現像ローラ（現像体）４０１と、現像ローラ４０１を支持する第二の支持部材としての現像枠体４０４とを有する。現像ローラ４０１は、現像ローラ４０１の長手方向両端部に配置されたフランジ４０２及び４０３を介して、現像枠体４０４に支持されている。
【００１７】
現像枠体４０４には、現像枠体４０４から突出された第二の規制部（４０５、４０６及び４０７）が設けられている。第二の規制部（４０５、４０６及び４０７）は、画像形成装置１００の手前側ＮＳに設けられた手前側規制部４０６と、奥側ＦＳに設けられた奥側規制部４０７と、手前側規制部４０６と奥側規制部４０７との間に延在する長手方向規制部４０５とを有する。以下の説明において、手前側規制部４０６、奥側規制部４０７及び長手方向規制部４０５をそれぞれ単に規制部４０６、規制部４０７及び規制部４０５という。規制部４０５は、レンズ集合体３０１の清掃時に、感光ドラム１０３へ向かう清掃部材６００の移動を規制する規制部としての役割を果たす。また、規制部４０５は、ＬＥＤヘッド１０５の接近離間動作において、図４の矢印Ｄで示す方向（略水平方向）にＬＥＤヘッド１０５を位置決めする位置決め手段としての役割も果たす。規制部４０６及び４０７は、ＬＥＤヘッド１０５が感光ドラム１０３に接近した露光位置において図４の矢印Ｃで示す方向（略垂直方向）にＬＥＤヘッド１０５を位置決めする位置決め部としての役割を果たす。ＬＥＤヘッド１０５の接近離間動作については、後述する。
【００１８】
（ドラムカートリッジ）
図４及び図６を用いて、ドラムカートリッジ５００を以下に説明する。図６は、ドラムカートリッジ５００の斜視図である。ドラムカートリッジ５００は、画像形成装置１００の本体１２０に着脱可能である。ドラムカートリッジ５００は、感光ドラム１０３と、帯電器（帯電ローラ）１０４と、感光ドラム１０３及び帯電器１０４を支持する第一の支持部材としてのドラム枠体５０１とを有する。感光ドラム１０３及び帯電器１０４は、感光ドラム１０３及び帯電器１０４のそれぞれの長手方向両端部に配置されたフランジ（不図示）を介して、ドラム枠体５０１に支持されている。
【００１９】
ドラム枠体５０１には、ドラム枠体５０１から突出された第一の規制部（５０２、５０３及び５０４）が設けられている。第一の規制部（５０２、５０３及び５０４）は、画像形成装置１００の手前側ＮＳに設けられた手前側規制部５０４と、奥側ＦＳに設けられた奥側規制部５０３と、手前側規制部５０４と奥側規制部５０３との間に延在する長手方向規制部５０２とを有する。以下の説明において、手前側規制部５０４、奥側規制部５０３及び長手方向規制部５０２をそれぞれ単に規制部５０４、規制部５０３及び規制部５０２という。規制部５０２は、レンズ集合体３０１の清掃時に、感光ドラム１０３と清掃部材６００との間に介在し、清掃部材６００が感光ドラム１０３の表面に接触することを防止する。且つ、規制部５０２は、レンズ集合体３０１の清掃時に、清掃部材６００をＬＥＤヘッド１０５の長手方向にスライド移動中に清掃パッド６０２をレンズ集合体３０１の光出射面３０１ａに付勢させる役割を果たす。また、規制部５０２は、ＬＥＤヘッド１０５の接近離間動作において、図４の矢印Ｄで示す方向にＬＥＤヘッド１０５を位置決めする位置決め手段としの役割も果たす。規制部５０３及び５０４は、ＬＥＤヘッド１０５が感光ドラム１０３に接近した露光位置において図４の矢印Ｃで示す方向にＬＥＤヘッド１０５を位置決めする位置決め部としての役割を果たす。ＬＥＤヘッド１０５の接近離間動作については、後述する。
【００２０】
現像枠体４０４及びドラム枠体５０１が画像形成装置１００の本体１２０に取り付けられたときに、第一の規制部（５０２、５０３及び５０４）は、第二の規制部（４０５、４０６及び４０７）に対向して配置される。
【００２１】
（ＬＥＤヘッドの接近離間機構）
図４、図７、図８及び図９を用いて、ＬＥＤヘッド１０５の接近離間機構（移動手段）２００を以下に説明する。図７は、接近離間機構２００の斜視図である。図７（ａ）は、ＬＥＤヘッド１０５が露光位置にある時の接近離間機構２００の斜視図である。ＬＥＤヘッド１０５は、画像形成時には、図７（ａ）に示す露光位置にある。図７（ｂ）は、ＬＥＤヘッド１０５が感光ドラム１０３から離間した退避位置にある時の接近離間機構２００の斜視図である。ＬＥＤヘッド１０５は、清掃時には、図７（ｂ）に示す退避位置にある。図８は、本体枠体２１０及び２１１の斜視図である。図９は、ドラムカートリッジ５００の斜視図である。図９（ａ）は、ＬＥＤヘッド１０５が露光位置にある時の画像形成装置１００の奥側ＦＳにおけるドラムカートリッジ５００の一部分を示す斜視図である。図９（ｂ）は、ＬＥＤヘッド１０５が露光位置にある時の画像形成装置１００の手前側ＮＳにおけるドラムカートリッジ５００の一部分を示す斜視図である。
【００２２】
接近離間機構２００は、画像形成のためにＬＥＤヘッド１０５が感光ドラム１０３に接近した露光位置と、清掃のためにＬＥＤヘッド１０５が感光ドラム１０３から離間した退避位置と間で、ＬＥＤヘッド１０５を往復移動させる。すなわち、ＬＥＤヘッド１０５は、接近離間機構２００により露光位置と退避位置とに移動可能である。ＬＥＤヘッド１０５が露光位置にあるときに、光出射面３０１ａは、規制部４０６、５０４よりも感光ドラム１０３の表面の側に位置し、複数個の発光点３０４が発光することにより感光ドラム１０３の表面を露光する。ＬＥＤヘッド１０５が退避位置にあるときに、光出射面３０１ａは、規制部４０６、５０４よりも感光ドラム１０３の表面とは反対側に位置し、ＬＥＤヘッド１０５を露光位置から退避させる。なお、ＬＥＤヘッド１０５が退避位置にあるときに、ドラムカートリッジ５００を画像形成装置１００の本体１２０に着脱可能である。
【００２３】
図７に示すように、接近離間機構２００は、レバー２０１、軸２０２、カム２０３ａ、２０３ｂ、リンク２０４ａ、２０４ｂ、リンク軸２０５ａ、２０５ｂ、圧縮バネ２０６ａ、２０６ｂ及びバネ座２０７ａ、２０７ｂを有する。画像形成装置１００の本体１２０は、図８に示すように画像形成装置１００の手前側ＮＳに配置された本体枠体２１０と奥側ＦＳに配置された本体枠体２１１とを有する。レバー２０１は、本体枠体２１０を挟んでＬＥＤヘッド１０５とは反対側に配置されている。本体枠体２１０及び２１１の内側に、図７に示すカム２０３ａ及び２０３ｂがそれぞれ配置される。レバー２０１及びカム２０３ａ並びに２０３ｂは、同一の軸２０２に固定されている。レバー２０１の回転動作に従って軸２０２が回転することにより、カム２０３ａ及び２０３ｂの位相（回転位置）が変わる。
【００２４】
本体枠体２１０及び２１１は、本体枠体２１０及び２１１の内側からそれぞれ突出したリンク軸２０５ａ及び２０５ｂが設けられている。リンク２０４ａ及び２０４ｂは、本体枠体２１０及び２１１の内側にそれぞれ配置されている。リンク２０４ａ及び２０４ｂは、図７に示すように、リンク軸２０５ａ及び２０５ｂを中心に回動できるように、リンク軸２０５ａ及び２０５ｂによりそれぞれ支持されている。リンク２０４ａの一端部は、ＬＥＤヘッド１０５の一端部３００ｅの下面と係合し、他端部は、カム２０３ａと係合する。リンク２０４ｂの一端部は、ＬＥＤヘッド１０５の他端部３００ｆの下面と係合し、他端部は、カム２０３ｂと係合する。圧縮バネ２０６ａは、本体枠体２１０から突出したバネ座２０７ａと、リンク２０４ａの一端部との間に配置されている。圧縮バネ２０６ｂは、本体枠体２１１から突出したバネ座２０７ｂと、リンク２０４ｂの一端部との間に配置されている。圧縮バネ２０６（２０６ａ、２０６ｂ）は、ＬＥＤヘッド１０５を露光位置へ付勢する付勢部材である。
【００２５】
接近離間機構２００は、使用者の操作によるレバー２０１の動作に連動してＬＥＤヘッド１０５を露光位置と退避位置とへ移動させる。レバー２０１が図７（ｂ）の矢印Ｂで示す方向に回転されると、図７（ａ）に示すようにリンク２０４の他端部とカム２０３との係合が外れ、圧縮バネ２０６は、リンク２０４の一端部を介してＬＥＤヘッド１０５を上方へ押圧する。ここで、ＬＥＤヘッド１０５のレンズ集合体３０１が感光ドラム１０３の表面に接触することを防止するために、規制手段としての規制部４０６、４０７、５０３及び５０４がＬＥＤヘッド１０５の移動を規制する。即ち、ＬＥＤヘッド１０５が圧縮バネ２０６により上方へ押圧されると、ＬＥＤヘッド１０５の筐体３００の長手方向の一端部３００ｅが規制部４０６及び５０４（図９（ｂ））に当接し、他端部３００ｆが規制部４０７及び５０３（図９（ａ））に当接する。ＬＥＤヘッド１０５の長手方向における両端部（３００ｅ、３００ｆ）が規制手段としての規制部４０６、４０７、５０３及び５０４に当接することにより、ＬＥＤヘッド１０５は、露光位置に位置決めされる（図４（ａ）、図７（ａ）及び図９）。
【００２６】
一方、レバー２０１が図７（ａ）の矢印Ａで示す方向に回転されると、図７（ｂ）に示すようにカム２０３がリンク２０４の他端部を押圧する。カム２０３の作用により、リンク２０４の一端部は、圧縮バネ２０６の付勢力に抗して圧縮バネ２０６を縮めるので、ＬＥＤヘッド１０５は、自重により又は付勢部材（不図示）の付勢力により退避位置へ移動する（図４（ｂ）及び図７（ｂ））。
【００２７】
（清掃部材）
図１０及び図１１を用いて、清掃部材６００を以下に説明する。図１０は、清掃部材６００を示す図である。図１０（ａ）は、清掃部材６００の断面図である。図１０（ｂ）は、清掃部材６００の斜視図である。図１１は、本体枠体２１０の開口部２２０から見たＬＥＤヘッド１０５を示す図である。図１１（ａ）は、画像形成のためにＬＥＤヘッド１０５が感光ドラム１０３に接近した露光位置にある時に本体枠体２１０の開口部２２０から見たＬＥＤヘッド１０５を示す図である。図１１（ｂ）は、ＬＥＤヘッド１０５が感光ドラム１０３から離間した退避位置にある時に本体枠体２１０の開口部２２０から見たＬＥＤヘッド１０５を示す図である。図１１（ｃ）は、ＬＥＤヘッド１０５の清掃のために清掃部材６００が画像形成装置１００の本体１２０内に挿入された時に本体枠体２１０の開口部２２０から見たＬＥＤヘッド１０５及び清掃部材６００を示す図である。
【００２８】
清掃部材６００は、図１０（ａ）に示すように清掃棒６０１と清掃パッド（清掃部）６０２を有する。清掃パッド６０２は、ＰＥＴ樹脂からつくられたブレードであってもよい。清掃棒６０１は、突出部６０１ａ及び６０１ｂが設けられ、断面が略コの字形に形成された長尺部品である。突出部６０１ａ及び６０１ｂは、清掃棒６０１の長手方向に互いに平行に延在している。清掃棒６０１の長手方向の一端部の略コの字形の内側に清掃パッド６０２が固定されている。図８に示すように、清掃部材６００を画像形成装置１００の本体１２０内へ挿入するために、本体枠体２１０に開口部（切り欠き部）２２０が設けられている。図１１は、本体枠体２１０に設けられた開口部２２０を示している。開口部２２０は、コの字形に形成されている。しかし、開口部２２０は、コの字形に限定されるものではなく、四角形、円形、開放端を有する切り欠き形状などであってもよい。図１１（ａ）からわかるように、画像形成のためにＬＥＤヘッド１０５が露光位置にある時（接近時）に、ＬＥＤヘッド１０５のレンズ集合体３０１は、開口部２２０から見えない。ＬＥＤヘッド１０５が感光ドラム１０３から離間した退避位置にある時（離間時）に、ＬＥＤヘッド１０５のレンズ集合体３０１は、図１１（ｂ）に示すように開口部２２０から視認可能である。ＬＥＤヘッド１０５を退避位置へ移動させることにより、感光ドラム１０３とＬＥＤヘッド１０５との間に清掃部材６００を挿入することができる空間ＳＰが形成される。ＬＥＤヘッド１０５が感光ドラム１０３から離間した退避位置にある時に、図１１（ｃ）に示すように、清掃部材６００は、案内手段としての開口部２２０を通して画像形成装置１００の本体１２０内の空間ＳＰへ挿入される。案内手段としての開口部２２０は、画像形成装置１００の本体１２０の外部から内部へ清掃部材６００を案内する。
【００２９】
図１１に示すように、開口部２２０の上側には、現像枠体４０４に設けられた規制部４０６とドラム枠体５０１に設けられた規制部５０４が視認可能である。規制部４０６及び５０４は、後述するＬＥＤヘッド１０５の清掃時に、清掃棒６０１の上方への移動を規制することにより、清掃棒６０１が感光ドラム１０３に接触することを防止する。規制部４０６及び５０４は、感光ドラム１０３へ向かう清掃部材６００の移動を規制する規制手段として機能する。なお、現像枠体４０４の規制部４０６は、なくてもよい。ドラム枠体５０１の規制部５０４は、現像枠体４０４の規制部４０６なしに感光ドラム１０３へ向かう清掃棒６０１の移動を規制することができるように攻勢されていてもよい。
【００３０】
一方、図１１（ｂ）及び図１１（ｃ）に示すように、開口部２２０の下側には、ＬＥＤヘッド１０５の筐体３００に設けられた二つの面（規制面）３００ａ及び３００ｂが視認可能である。面３００ａ及び３００ｂは、レンズ集合体３０１を挟んでＬＥＤヘッド１０５の長手方向に延在している。二つの面の一方３００ａは、清掃棒６０１に設けられた二つの突出部６０１ａ及び６０１ｂの一方６０１ａに当接可能である。二つの面の他方３００ｂは、二つの突出部６０１ａ及び６０１ｂの他方６０１ｂに当接可能である。面３００ａ及び３００ｂは、後述するＬＥＤヘッド１０５の清掃時に、清掃棒６０１の下方への移動を規制することにより、清掃棒６０１がレンズ集合体３０１に接触すること防止する。清掃棒６０１がレンズ集合体３０１に接触するとレンズ集合体３０１のレンズ表面に傷がつくことがある。そこで、ＬＥＤヘッド１０５の筐体３００に設けられた面３００ａ及び３００ｂは、清掃棒６０１の突出部６０１ａ及び６０１ｂをそれぞれ受ける。これによって、面３００ａ及び３００ｂは、ＬＥＤヘッド１０５へ向かう清掃部材６００の移動を規制する規制手段として機能する。
【００３１】
なお、ＬＥＤヘッド１０５の面３００ａ及び３００ｂは、規制部４０６、４０７、５０３及び５０４に当接するＬＥＤヘッド１０５の両端部３００ｅ、３００ｆよりも感光ドラム１０３の近くに配置されている。ＬＥＤヘッド１０５の両端部３００ｅ、３００ｆが規制部４０６、４０７、５０３及び５０４に当接してＬＥＤヘッド１０５が露光位置に位置決めされたときに、レンズ集合体３０１の光出射面３０１ａは、両端部より感光ドラム１０３に近い。
【００３２】
（レンズ集合体の清掃方法）
ＬＥＤヘッド１０５のレンズ集合体３０１の清掃手順を以下に説明する。
清掃手順（１）：ＬＥＤヘッド１０５を退避位置（離間位置）へ移動させる。
使用者は、レバー（把持部）２０１を掴み、図７（ａ）の矢印Ａで示す方向にレバー２０１を回転させると、図７（ｂ）に示すように、カム２０３の作用によりリンク２０４が圧縮バネ２０６を縮めてＬＥＤヘッド１０５を退避位置へ移動させる。
清掃手順（２）：ＬＥＤヘッド１０５を退避位置へ移動させることにより形成された空間ＳＰの中へ清掃部材６００を挿入する。
本体枠体２１０に設けられた開口部２２０に清掃部材６００を挿入し、清掃部材６００の上部の清掃棒６０１を規制部４０６、５０４に沿わせ、突出部６０１ａ、６０１ｂの下部を筐体３００の面３００ａ、３００ｂに沿わせ、奥側ＦＳへスライド移動させる。規制部４０５、４０６、４０７、５０２、５０３、５０４及び面３００ａ、３００ｂは、清掃パッド６０２のみをレンズ集合体３０１の光出射面３０１ａに接触して擦動させながら、清掃部材６００を光出射面３０１ａに沿って移動させることを許容する。規制部４０５及び５０２は、清掃部材６００が光出射面３０１ａの長手方向にスライド移動する際に清掃部材６００が感光ドラム１０３の表面に接触しないように、現像カートリッジ４００及びドラムカートリッジ５００にそれぞれ設けられている。また、規制部４０５及び５０２は、清掃パッド６０２が光出射面３０１ａの長手方向にスライド移動する際に清掃パッド６０２が光出射面３０１ａから離脱しないように、現像カートリッジ４００及びドラムカートリッジ５００にそれぞれ設けられている。規制部４０５及び５０２は、清掃パッド６０２を光出射面３０１ａに付勢させる。清掃パッド６０２は、レンズ集合体３０１の光出射面３０１ａの上を摺動して光出射面３０１ａの上の汚れをふき取る。
【００３３】
清掃手順（３）：清掃終了後、清掃部材６００を画像形成装置１００の本体１２０から抜き出す。
清掃部材６００を、手前側ＮＳへスライドさせる。
清掃手順（４）：ＬＥＤヘッド１０５を露光位置（画像形成位置）へ移動させる。
使用者は、レバー２０１を掴み、図７（ｂ）の矢印Ｂで示す方向にレバー２０１を回転させると、図７（ａ）に示すように、リンク２０４とカム２０３の係合が外れ、ＬＥＤヘッド１０５は、圧縮バネ２０６により露光位置へ移動される。ＬＥＤヘッド１０５の筐体３００の一端部３００ｅが規制部４０６、５０４に当接し、他端部３００ｆが規制部４０７、５０３に当接することにより、ＬＥＤヘッド１０５は、画像形成装置１００の本体１２０内で矢印Ｃで示す方向に位置決めされる。また、この時、規制部４０５及び５０２により、矢印Ｄで示す方向においてＬＥＤヘッド１０５が位置決めされる。
【００３４】
本実施例によれば、画像形成のためにＬＥＤヘッド１０５が感光ドラム１０３に接近した露光位置にＬＥＤヘッド１０５を位置決めする位置決め手段を現像枠体４０４及びドラム枠体５０１により構成することができる。また、本実施例によれば、清掃部材６００の移動を規制する規制手段を現像枠体４０４、ドラム枠体５０１、及びＬＥＤヘッド１０５の筐体３００により構成することができる。よって、画像形成装置１００を小型化することができる。また、本実施例によれば、案内手段により案内される清掃部材６００がＬＥＤヘッド１０５のレンズ集合体３０１の光出射面３０１ａを確実に清掃することができる。
【実施例２】
【００３５】
以下、実施例２を説明する。実施例２において、実施例１と同様の構造には同様の参照符号を付して説明を省略する。実施例２の画像形成装置１００、ＬＥＤヘッド１０５、現像器１０６、ドラムカートリッジ５００、接近離間機構２００及び清掃部材６００は、実施例１と同様であるので説明を省略する。実施例２は、ＬＥＤヘッド１０５の移動を案内する案内部材２２１及び２２２が本体枠体２１１に設けられている点で実施例１と異なる。
【００３６】
図１２は、実施例２の本体枠体２１０及び２１１の斜視図である。ＬＥＤヘッド１０５の移動を案内する案内部材２２１及び２２２は、本体枠体２１１から突出して設けられている。図１３は、実施例２の画像形成部１０２の断面図である。図１３（ａ）は、実施例２のＬＥＤヘッド１０５が露光位置にある時の画像形成部１０２の断面図である。ＬＥＤヘッド１０５は、画像形成時には、図１３（ａ）に示す露光位置にある。図１３（ｂ）は、実施例２のＬＥＤヘッド１０５が感光ドラム１０３から離間した退避位置にある時の画像形成部１０２の断面図である。ＬＥＤヘッド１０５は、清掃時には、図１３（ｂ）に示す退避位置にある。図１３に示すように、規制部４０５及び５０２の下方に、本体枠体２１１から突出させる形で案内部材２２１及び２２２を設けることにより、常時、ＬＥＤヘッド１０５の矢印Ｄ方向の位置を規制してＬＥＤヘッド１０５を位置決めすることができる。なお、案内部材２２１及び２２２は、本体枠体２１１ではなく本体枠体２１０から突出させてもよい。あるいは、案内部材２２１及び２２２は、本体枠体２１１及び本体枠体２１０の両方から突出させてもよい。実施例２によれば、実施例１と同様の効果を奏することができる。
【符号の説明】
【００３７】
１００  画像形成装置
１０３  感光ドラム
１０５  ＬＥＤヘッド（発光装置）
１２０  本体
２００  接近離間機構（移動手段）
３０１  レンズ集合体（レンズ）
３０１ａ  光出射面
３０４  発光点
４０５、５０２  規制部
６００  清掃部材
６０２  清掃パッド（清掃部）
ＳＰ  空間
【図１】
2018060091.tif 000003
【図２】
2018060091.tif 000004
【図３】
2018060091.tif 000005
【図４】
2018060091.tif 000006
【図５】
2018060091.tif 000007
【図６】
2018060091.tif 000008
【図７】
2018060091.tif 000009
【図８】
2018060091.tif 000010
【図９】
2018060091.tif 000011
【図１０】
2018060091.tif 000012
【図１１】
2018060091.tif 000013
【図１２】
2018060091.tif 000014
【図１３】
2018060091.tif 000015